(57)【要約】【課題】ピット長に関係なく、常にピット幅が変化しない電子ビーム露光方法を提供する。【解決手段】所定速度で回転する原盤１３に対して電子ビーム５をＯＮ／ＯＦＦしながら照射することで原盤１３表面のレジスト膜に複数段階の面積を有するピットパターンを描画する電子ビーム露光方法において、原盤１３の線速度をＬＶ、電子ビーム径をＤ、電子ビームをＯＮにする期間をＴｏｎとした時、Ｔｏｎ＜２＊Ｄ／ＬＶの範囲で期間Ｔｏｎを可変して露光する。【選択図】    図１
2004227706.tif 000002
【特許請求の範囲】
【請求項１】
所定速度で回転する基板表面に対して電子ビームをオン／オフしながら照射することによって、前記基板表面のレジスト膜に一定幅のピットパターンを描画する電子ビーム露光方法において、前記基板の線速度をＬＶ、電子ビーム径をＤ、電子ビームをオンにする期間をＴｏｎとした時、Ｔｏｎ≧２＊Ｄ／ＬＶの範囲で期間Ｔｏｎを可変して露光することを特徴とする電子ビーム露光方法。
【請求項２】
所定速度で回転する基板表面に対して電子ビームをオン／オフしながら照射することで当該基板表面のレジスト膜に複数段階の面積を有するピットパターンを描画する電子ビーム露光方法において、前記基板の線速度をＬＶ、電子ビーム径をＤ、電子ビームをオンにする期間をＴｏｎとした時、Ｔｏｎ＜２＊Ｄ／ＬＶの範囲で期間Ｔｏｎを可変して露光することを特徴とする電子ビーム露光方法。
【請求項３】
所定速度で回転する基板表面に対して電子ビームを照射することで当該基板表面のレジスト膜にパターンを描画する電子ビーム露光方法において、電子ビームを高速でオン／オフし、オン／オフのデューティ比を可変することにより、単位面積あたりの電子ビーム照射量を可変することを特徴とする電子ビーム露光方法。
【請求項４】
電子ビームをオン／オフする周波数Ｆを、電子ビーム径Ｄ、電子ビームの基板に対する線速度ＬＶとしたときに、Ｆ≧ＬＶ／Ｄとすることを特徴とする請求項３記載の電子ビーム露光方法。
【請求項５】
原盤を回転させながら、原盤に電子ビームを照射してパターンを描画する電子ビーム露光装置であって、原盤を回転させる回転ステージ機構と、原盤を半径方向に移動させる直動ステージ機構と、回転ステージ機構と直動ステージ機構に所定線速になるように制御する機構と、前記原盤に収束した電子ビームを照射する機構と、電子ビームをオン／オフする機構と、電子ビームを一定周波数でオン／オフする高周波信号発生機構と、電子ビームをオン／オフする高周波信号のデューティ比を可変する機構を有することを特徴とする電子ビーム露光装置。
【請求項６】
前記原盤に描画するパターンを発生する露光信号発生装置と、この露光信号発生装置から出力されるフォーマッター信号と前記高周波信号発生機構からの出力信号のアンドを取るアンド手段を有することを特徴とする請求項５記載の電子ビーム露光装置。
【請求項７】
所定速度で回転する基板表面に対して電子ビームを照射することで当該基板表面のレジスト膜にパターンを描画する工程と、前記描画したレジスト膜に対して現像処理を行う工程とを備えた光ディスク原盤の製造方法において、
予め設定した半径毎の電子ビーム量データを基に、請求項４記載の電子ビーム露光方法によって電子ビーム量を可変することにより、単位面積あたりの電子ビーム照射量を半径ごとに可変することを特徴とする光ディスク原盤の製造方法。
【請求項８】
請求項７記載の光ディスク原盤の製造方法により作成された原盤より製造されたことを特徴とする情報記録媒体。
【請求項９】
トラックに沿って螺旋状に連続して形成された記録ビットパターンにより２値の情報を記録する光情報記憶媒体において、請求項１記載の露光方法で露光された原盤よって製造されたことを特徴とする情報記録媒体。
【請求項１０】
一定面積を持つ２次元領域からなるセルが螺旋状にトラックに沿って連続して仮想的に存在し、１つのセル内に形成されたピットパターンからの反射光量を変化させることによって３値以上のデジタルデータを記録した光情報記憶媒体において、請求項２記載の露光方法で露光された原盤より製造されたことを特徴とする情報記録媒体。
【発明の詳細な説明】
【０００１】
【発明の属する技術分野】
本発明は、光ディスク等の情報記録媒体の原盤を作成するために使用する電子ビーム露光方法および露光装置、この電子ビーム露光方法を使用した原盤の製造方法、さらにこの製造方法による原盤を使用して作成した情報記録媒体に関する。
【０００２】
【従来の技術】
従来、光ディスクにおいては、渦巻状又は同心円状のトラック上に、２値のデジタルデータが、エンボス加工等による凹凸のピット（ＲＯＭディスク）や無機・有機記録膜への穴形成（追記型ディスク）・結晶状態の違い（相変化ディスク）などによって記録されている。これらの記録データを再生する際には、トラック上にレーザビームを照射して、その反射光の強度差等を検出することによって再生信号を得る。そして得られた再生信号から、例えば一定のしきい値と比較判断することにより、２値のデータを検出している。
【０００３】
ＣＤ，ＣＤ−ＲＯＭ，ＤＶＤ−ＲＯＭ等のようなＲＯＭディスクは、原盤に形成された凹凸のピットを、成形板に転写することにより、安価に大量に作成でき、配布用として使用される。原盤の凹凸ピットは、ガラス基板等の上にレジストを形成し、これにレーザー光を照射して潜像を形成し、現像して形成される。
【０００４】
ＣＤ−Ｒ，ＣＤ−ＲＷ，ＤＶＤ−Ｒ，ＤＶＤ＋ＲＷ等のような追記型ディスク、相変化ディスク等の記録可能ディスクは、トラッキングのための案内溝等がＲＯＭディスクと同様な方法で形成された原盤から、案内溝等を成形板に転写し、この上に無機・有機記録膜等の記録材料を付与することによって作成され、記録再生装置（ＣＤ−Ｒドライブ等）によって情報が記録される。
【０００５】
ＲＯＭディスクと、追記型ディスク・相変化ディスク等の記録可能ディスク、すなわち、ＣＤ−ＲＯＭとＣＤ−Ｒ、ＤＶＤ−ＲＯＭとＤＶＤ−Ｒの関係と同様に、記録ドライブで記録された記録可能ディスクは、ＲＯＭディスクと同様に再生されることが要求される。これは、記録可能ディスクとＲＯＭディスクが同様なフォーマットによって記録され、かつ再生される信号も記録可能ディスクとＲＯＭが略等しいことにより、達成される。
【０００６】
上記ＣＤ−Ｒ等では、記録ドライブで、アドレス情報がｗｏｂｂｌｅとして記録された案内溝の中に、ＲＯＭのピットと同様な再生信号になる記録ビットを形成することによって、実現している。また、ＲＯＭディスクの一部に記録可能領域を有し、ＲＯＭ領域と記録可能領域を併せ持つタイプの光ディスク（パーシャルＲＯＭと呼ばれる）も提案されている。
【０００７】
このような光ディスクにより、大量生産されるＲＯＭデータの更新、あるいは記録ドライブの制御ソフトを有する記録メディアが実現できる。また、パーシャルＲＯＭも、記録可能領域とＲＯＭ領域を同様なフォーマットで同様な信号とし、この２つの領域を１枚のディスク上に分けて形成すれば、一部に情報データを記録した後の記録可能ディスクと同じように記録再生できる。
【０００８】
ところで、近年、画像、映像等の高精度化に伴うデータ容量の増加に対応するために、情報記録媒体の容量を増加させる必要が生じている。容量を増加させる方法の一つとしては、案内溝とかピットを微細化する方法がある。しかし、従来、原盤の露光に使われてきたレーザー光は、波長と集光レンズ等によって集光ビーム径が決まるため、ＤｅｅｐＵＶレーザーを使用してもビーム径０．２５μｍ以下は困難で、パターン幅は０．１５μｍ程度が限界である。そこで、新たな光源として、０．０１μｍ以下のビーム径が得られる電子ビームを使用した原盤露光装置が提案されている。
【０００９】
図１０は一般的な電子ビーム露光装置の構成を示す側面図であり、１は鏡筒、２は試料室、４は電子銃、５は電子ビーム、６はコンデンサレンズ、７はフォーカスレンズ、８は対物レンズ、９はブランキング電極、１０は絞り、１１は偏向器、１２はモータ、１３は原盤、１４は回転ステージ、１５は直動ステージ、１６はブランキングドライバー、１７はフォーマッター、１８は偏向器ドライバー、１９はＷｏｂｂｌｅ信号発生器、ｆはＯＮ／ＯＦＦ信号、ｇはフォーマット信号を示す。
【００１０】
電子ビームは、１０−５以下の真空度にされた鏡筒１内の電子銃４から発生した電子ビーム５を電磁レンズ６で収束させた後に絞り１０を通す。この収束位置で間欠的にブランキング電極９によってフォーマッター１７からの信号にしたがって電子ビームを高速に偏向させ、絞り１０により電子ビームのＯＮ／ＯＦＦを行う。この電子ビームを対物レンズ８によって収束させて原盤１３に照射する。原盤１３は回転ステージ１４と直動ステージ１５とによって半径方向に一定ピッチで動かしながら線速一定になるように回転させられることにより、電子ビームが原盤１３上に螺旋状に照射される。これにより、電子ビームを連続的に照射した場合には、螺旋状に案内溝２１（図１１参照）が形成され、電子ビームを間欠的に照射した場合には螺旋状にピットが形成される。案内溝、ピットをｗｏｂｂｌｅする必要がある場合には、偏向器１１によりｗｏｂｂｌｅ信号発生器１９のフォーマットにしたがって、電子ビームを周期的に偏向することにより、ｗｏｂｂｌｅさせることができる。
【００１１】
このように電子ビーム露光装置は、容易に０．０１μｍ以下に集光できる電子ビームを光源としているので、容易に、０．１μｍ以下のピットも形成できるという長所がある。その一方で、レーザー光におけるＡ／Ｏ変調器（ａｃｏｕｓｔｏ−ｏｐｔｉｃ  ｍｏｄｕｌａｔｏｒ）のようにビーム強度を高速に変える手段がないため、レーザー露光でのように、案内溝、ピット幅を自由に変更することはできないという短所がある。
【００１２】
同様な装置としては、半導体用のマスク露光等で使用される電子ビーム描画装置がある。この電子ビーム描画装置は、上記情報記録媒体用の電子ビーム露光装置が回転＋直動ステージから構成されるのに対し、ｘｙステージから構成される。電子ビームの偏向器１１も、ｘｙ方向の２軸（図１０の左右方向がｘ軸、図１０に対し垂直な方向がｙ軸）が用いられる。ビーム停止状態での電子ビームの照射と、ブランキング電極により電子ビームを切った状態での、偏向器による移動を繰り返すことにより所定のパターンを原盤１３上に照射する。
【００１３】
前記電子ビーム描画装置においては、電子ビーム強度を可変する手段は有しないが、照射時間の調整により、単位面積あたりの照射量（露光量）を可変できる。同様に、電子ビームの露光装置においても線速度を変えれば、露光量は可変できるが、線速度の変更には、最低でも回転ステージ１４が数回転するだけの時間を必要とし、高速には変更できない。
【００１４】
なお、電子ビーム露光装置において、露光量を可変する従来例としては、特許文献１，２に記載されたものがある。特許文献１によれば、パターン幅を変えるために、円周方向に電子ビームを偏向させて部分的に線速度を変え、単位面積あたりの電子ビーム照射量（露光量）を変える点について記載されている。特許文献２によれば、目的は異なるが、円周方向に電子ビームを偏向させて露光量を増やしている点について記載されている。
【００１５】
また、情報記録媒体の容量を増加させるもう一つの方法として、２値データではなく３値以上の多値データを記録する方法が考えられている。
【００１６】
図１１は３値以上の多値データを記録する多値記録ディスクにおける表面の拡大図、図１２は３値以上の多値データ記録の概念図であり、２０は情報記録媒体、２１は案内溝、２２はセル、２３は再生ビーム、２４は記録ビット、２５はＰＣ基板を示す。図１１，図１２は相変化ディスクの記録ビット２４の大きさを変えることにより１つの記録ビットで８値データを得ているものを示すものである。
【００１７】
案内溝２１が形成されたＰＣ基板２５には、記録材料、反射膜、保護膜等が形成され、情報記録媒体２０が作られる。この情報記録媒体２０に記録ドライブにより集光したレーザー光を照射することによって記録ビット２４が形成される。
【００１８】
記録ビット２４は、案内溝２１に一定面積（以下、この一定面積の領域をセル２２と称する）ごとに１つずつ大きさを変えて形成される。この情報記録媒体２０を再生装置で再生すると、ＲＦ信号は、図１２に示すように、記録ビット２４の大きさにしたがって、反射光量が変化し、この反射光量にしたがってレベルに変換され、情報が再生される。この場合、各セルで０〜７の値を表現できるので、従来の０〜１に比べ多くの情報が記録できる。同様に、予め情報を露光装置で記録したＲＯＭディスクにおいても、ピットの大きさを変えることにより１つのピットで多値データを記録することにより、飛躍的に記録できる情報量を増やせる。
【００１９】
【特許文献１】
特開２００２−６５０９号公報
【特許文献２】
特開２０００−３１５６３７号公報
【００２０】
【発明が解決しようとする課題】
上述したように、レーザーによる原盤の露光では、集光ビーム径により形成できるパターンサイズが制限され、記録できる情報量が制限されてしまい、記録容量の増大を図ることができない。この点に対する解決策としては電子ビームによる露光が有効であるが、電子ビーム露光装置は、電子ビームの強度を変調する手段を有しないため、面内の露光量を変えられない問題がある。
【００２１】
ところが、露光に多大な時間を要する電子ビーム露光では、内周と外周では、露光されてから現像までの時間が異なること、露光時の熱の影響が内周と外周付近では異なること、レジスト膜厚の内外差、原盤の移動による、電子ビームの変動等の原因で、均一な溝が形成されない、といった問題点があった。また、原盤によっては、成形時に最外周での転写が不十分になるのを補正する目的で最外周の案内溝等を深く（すなわちレジスト膜厚を厚く）する場合があり、この場合には当然、均一なビームを照射すると、均一な溝が形成されない。このような不均一性を従来のレーザー露光においては内外のレーザー強度を変えて補正していたが、ビーム強度を変えられない電子ビーム露光では補正することができなかった。
【００２２】
また、電子ビーム露光では、ピット長を変えたときに、場合によっては、ピット幅が変化してしまう問題があった。
【００２３】
また、レーザーのよる原盤の露光では記録容量の増大を図ることができない、という問題点に対する２つめの解決策として、情報の多値記録が有効であるが、電子ビーム露光では、上述したように大きく面積の変化するピットを形成できない問題があった。
【００２４】
さらに、特許文献１によれば、パターン幅を変えるために、円周方向にビームを偏向させて部分的に線速度を変え、単位面積あたりの電子ビーム照射量を変えている。しかし、この円周方向にビームを偏向させる方法では、連続的に電子ビームを照射する案内溝の露光には適用できない。また、円周方向にビームを偏向させるので、パターン長さの制御が困難であった。特許文献２においても、円周方向にビームを偏向させて露光量を変えているので、特許文献１と同じ問題を有する。
【００２５】
本発明は、このような問題点を解決するために考えられたものであり、ピット長に関係なく、常にピット幅が変化しない電子ビーム露光方法、露光量を可変できる電子ビーム露光装置、パターン幅を制御可能な原盤の製造方法および均一な信号特性を有する情報記録媒体を提供することを目的とする。
【００２６】
【課題を解決するための手段】
前記目的を達成するため、請求項１に係る発明は、所定速度で回転する基板表面に対して電子ビームをオン／オフしながら照射することによって、前記基板表面のレジスト膜に一定幅のピットパターンを描画する電子ビーム露光方法において、前記基板の線速度をＬＶ、電子ビーム径をＤ、電子ビームをオンにする期間をＴｏｎとした時、Ｔｏｎ≧２＊Ｄ／ＬＶの範囲で期間Ｔｏｎを可変して露光することを特徴とする。このように構成したことにより、電子ビームを断続的に照射して原盤上にピットの潜像を形成する露光方法において、全ての長さのピットを露光する際の露光時間を２＊Ｄ／ＬＶ以上に設定することによってピット幅が全面均一になるように露光することができる。
【００２７】
請求項２に係る発明は、所定速度で回転する基板表面に対して電子ビームをオン／オフしながら照射することで当該基板表面のレジスト膜に複数段階の面積を有するピットパターンを描画する電子ビーム露光方法において、前記基板の線速度をＬＶ、電子ビーム径をＤ、電子ビームをオンにする期間をＴｏｎとした時、Ｔｏｎ＜２＊Ｄ／ＬＶの範囲で期間Ｔｏｎを可変して露光することを特徴とする。このように構成したことにより、電子ビームを断続的に照射して原盤上にピットの潜像を形成する露光方法において、全ての長さのピットに対応させるために、露光する際の露光時間を２＊Ｄ／ＬＶ未満に設定することにより、露光時間の制御によってピット長さと幅を同時に変化させることができる。よって露光するパルス幅の制御だけで、多値データを記録するのに必要な微小なピットから大きなピットまで形成できる。
【００２８】
請求項３に係る発明は、所定速度で回転する基板表面に対して電子ビームを照射することで当該基板表面のレジスト膜にパターンを描画する電子ビーム露光方法において、電子ビームを高速でオン／オフし、オン／オフのデューティ比を可変することにより、単位面積あたりの電子ビーム照射量を可変することを特徴とする。このように構成したことにより、電子ビーム強度を可変にすることが困難である電子ビーム露光装置において、単位面積あたりの電子ビーム照射量が可変にできるようになる。
【００２９】
請求項４に係る発明は、請求項３に係る発明において、電子ビームをオン／オフする周波数Ｆを、電子ビーム径Ｄ、電子ビームの基板に対する線速度ＬＶとしたときに、Ｆ≧ＬＶ／Ｄとすることを特徴とする。このように構成したことにより、電子ビーム強度を可変にすることが困難な電子ビーム露光装置において、単位面積あたりの電子ビーム照射量を可変にでき、かつ変動のない電子ビーム照射量が得られる。
【００３０】
請求項５に係る発明は、原盤を回転させながら、原盤に電子ビームを照射してパターンを描画する電子ビーム露光装置であって、原盤を回転させる回転ステージ機構と、原盤を半径方向に移動させる直動ステージ機構と、回転ステージ機構と直動ステージ機構に所定線速になるように制御する機構と、前記原盤に収束した電子ビームを照射する機構と、電子ビームをオン／オフする機構と、電子ビームを一定周波数でオン／オフする高周波信号発生機構と、電子ビームをオン／オフする高周波信号のデューティ比を可変する機構を有することを特徴とする。このように構成したことにより、電子ビーム強度を可変にすることが困難である電子ビーム露光装置において、単位面積あたりの電子ビーム照射量を可変にでき、かつ変動のない電子ビーム照射量が得られる。
【００３１】
請求項６に係る発明は、請求項５に係る発明において、前記原盤に描画するパターンを発生する露光信号発生装置と、この露光信号発生装置から出力されるフォーマッター信号と前記高周波信号発生機構からの出力信号のアンドを取るアンド手段を有することを特徴とする。このように構成したことにより、パターン毎に、露光量を変えることができるので、パターン毎に単位面積あたりの電子ビーム照射量を可変に、案内溝だけではなく、ピット幅も可変可能になる。
【００３２】
請求項７に係る発明は、所定速度で回転する基板表面に対して電子ビームを照射することで当該基板表面のレジスト膜にパターンを描画する工程と、前記描画したレジスト膜に対して現像処理を行う工程とを備えた光ディスク原盤の製造方法において、予め設定した半径毎の電子ビーム量データを基に、請求項４記載の電子ビーム露光方法によって電子ビーム量を可変することにより、単位面積あたりの電子ビーム照射量を半径ごとに可変することを特徴とする。このように構成したことにより、半径位置ごとに露光量を設定できるので、案内溝幅を全面均一になるように露光量補正を行ったり、内外の案内溝幅を変化させることができる。
【００３３】
請求項８に係る発明は、請求項７記載の光ディスク原盤の製造方法により作成された原盤より製造されたことを特徴とする。このように構成したことにより、内外差のない信号特性を有する情報記録媒体が作成できる。
【００３４】
請求項９に係る発明は、トラックに沿って螺旋状に連続して形成された記録ビットパターンにより２値の情報を記録する光情報記憶媒体において、請求項１記載の電子ビーム露光方法で露光された原盤よって製造されたことを特徴とする。このように構成したことにより、ピット長に関係なく常に一定幅のピットが得られるので、ピット長による振幅差が抑えられ、ジッタの小さい情報記録媒体が得られる。
【００３５】
請求項１０に係る発明は、一定面積を持つ２次元領域からなるセルが螺旋状にトラックに沿って連続して仮想的に存在し、１つのセル内に形成されたピットパターンからの反射光量を変化させることによって３値以上のデジタルデータを記録した光情報記憶媒体において、請求項２記載の露光方法で露光された原盤より製造されたことを特徴とする。このように構成したことにより、１つのピットで多値のデータを記録できる多値記録ＲＯＭを、微細なパターンを形成できる電子ビーム露光で実現したので、飛躍的に大きな情報量を記録で情報記録媒体が得られる。
【００３６】
【発明の実施の形態】
以下、本発明の実施形態について、図面を参照しながら詳細に説明する。
【００３７】
まず、本発明の実施形態の説明に先立ち、電子ビーム露光でのパターン特性について説明する。なお、電子ビーム露光装置は図１０に示した構成と同様である。
【００３８】
図１３（ａ）は、ビーム径５０ｎｍ、加速電圧２０ＫＶで、ピッチ０．４μｍの案内溝を形成した場合のパターン幅と露光量の関係を示す特性図であり、露光量は、案内溝の幅が０．１μｍになる露光量を１とした相対値で示している。
【００３９】
レーザービームによる露光では、形成される溝幅がビーム径を越えると露光量を増やしても溝幅は増加しなくなる（飽和する）が、電子ビーム露光では、図１３（ａ）に示すように、ビーム径０．０５μｍでも露光量の増加とともに、幅はリニアに延々と増加する。したがって、電子ビーム露光では、露光量によって広範囲の幅を有するパターンを形成できる。しかし、電子ビーム露光では、ビーム強度を可変にできないため、この特性を使用してビーム強度によって溝幅を可変にすることはできない。唯一線速度を可変することにより、単位面積あたりの露光量を可変して、パターン幅を変化させることができる。
【００４０】
また、図１３（ｂ）は、ビーム径２５ｎｍ、線速度１ｍ／ｓで２０ｎｓｅｃ露光した場合の平均の露光量を示す分布図である。基板を回転させながら電子ビームを照射する電子ビーム露光では、露光中常に電子ビームが移動するので非常に短時間の露光でも、半径方向より円周方向に少し長い楕円パターンが露光されることがわかる。
【００４１】
次に、本発明の第１の実施形態の露光方法について説明する。電子ビームを、線速度ＬＶ（ｍ／ｓ），ビーム径Ｄ（ｍ）とした時、ＬＶ／ＤＨｚ以上の周波数で電子ビームをＯＮ／ＯＦＦすると、図２（ｂ）のように、露光量は変動しない。このときに、上記ＯＮ／ＯＦＦの周波数のＤｕｔｙ比を可変にすると、図２（ａ）のように露光量が変化することがわかる。このように、ＬＶ／ＤＨｚ以上の周波数で電子ビームをＯＮ／ＯＦＦするとともに、ＯＮ／ＯＦＦの周波数のＤｕｔｙ比を可変にすることにより、ビーム強度を変えることなく露光量を可変にできる。
【００４２】
図１（ａ）は第１の実施形態の露光方法に基づいて露光を行う電子ビーム露光装置の構成を示す説明図であり、３０はＤｕｔｙ可変回路、３１は発信回路、３２は遅延回路、３３はセレクター、３４はＯＲ回路、３５は高周波信号発生機構、３６はＡＮＤ回路、ｂは高周波パルス、ｃは遅延信号、ｄは高周波信号、ｅはＤｕｔｙ制御信号を示す。なお、図１０に示す従来の電子ビーム露光装置における部材と同一の部材については同一の符号を付して、詳細な説明は省略した。
【００４３】
鏡筒１内に設けられた電子ビームの発生機構および照射機構、ならびにモータ１２，回転ステージ１４，直動ステージ１５を備えた原盤１３の駆動機構等は、図１０に示した部材と同様である。電子ビームをＯＮ／ＯＦＦする機構は、周波数ＬＶ／Ｄ以上の高周波信号ｄを生成する高周波信号発生機構３５と、ブランキング電極９と絞り１０とブランキングドライバー１６からなり、高周波信号ｄにしたがって電子ビーム５をＯＮ／ＯＦＦするブランキング機構から構成される。そして、線速度一定に回転する原盤１３に電子ビーム５を高速にＯＮ／ＯＦＦしながら照射する。
【００４４】
高周波信号発生機構３５は、高周波パルスｂを発生する発振回路３１と、高周波パルスｂのＤｕｔｙ比をＤｕｔｙ制御信号ｅにしたがって可変にするＤｕｔｙ可変回路３０から構成される。Ｄｕｔｙ可変回路３０は、高周波パルスｂを遅延させる複数の遅延回路３２（図１では、ＤＬＹ１，ＤＬＹ２，…，ＤＬＹｎ）と、所定の遅延量の信号をＤｕｔｙ制御信号ｅに従って選択するセレクター３３と、遅延信号ｃと高周波パルスｂのＯＲを取って高周波パルスｂのＤｕｔｙ比を変えるＯＲ回路３４からなる。
【００４５】
図１（ｂ）は、高周波パルスｂ、遅延信号ｃ、高周波信号ｄのタイミングチャートであり、遅延量（Ｄｅｌｙ量）の分だけ高周波信号ｄにおけるＯＮの期間が長く、ＯＦＦの期間が短くなる。各遅延回路３２（ＤＬＹ１，ＤＬＹ２，…，ＤＬＹｎ）において設定されている遅延量（Ｄｅｌｙ量）はそれぞれ異なっており、セレクター３３の制御により、５０％のＤｕｔｙ比を有する高周波パルスのＤｕｔｙ比を、瞬時に５０％から１００％の間の所定の値に変えることができる。
【００４６】
図３は、加速電圧２０ＫＶ、線速度２ｍ／ｓ、電流量８０ｎＡ、ビーム径５０ｎｍ、高周波信号周波数５０ＭＨｚで、Ｄｕｔｙ比を６０％から１００％まで２％刻みで可変した場合の、単位面積あたりの露光量を示すグラフである。Ｄｕｔｙ比８０％を基準露光量として露光することにより、±２５％の範囲で約０．８μＣ／ｃｍ２刻みで露光量を可変できる。また、このときの露光量の変動量はＰ−Ｐ約１．５％と安定していた。
【００４７】
次に、本発明の第１の実施形態における露光方法に基づく原盤の作成方法について説明する。図１（ａ）に示す電子ビーム露光装置により、電子ビームレジストＺＥＰ７０００（日本ゼオン製）を塗布した原盤１３に対して、ピッチ０．４μｍ線速度２ｍ／ｓで全面露光し、現像した。その結果、溝幅分布は図４の補正前のようになった。
【００４８】
前述した露光の結果、図４の補正前に示すように溝幅に変動が見られる。この溝幅変動には再現性があり、内外で約０．０１μｍの溝幅変動が起きた。この点を改善するため、原盤１３の外周に行くにしたがってＤｕｔｙ比を大きくして露光量を増加させた。その結果、図４の補正後に示すように、ほぼ均一な溝幅が得られた。この原盤１３からスタンパを作成し、このスタンパによりＰＣ基板を作成し、このＰＣ基板に、Ａｇ−Ｉｎ−Ｓｂ−Ｔｅ記録層を形成し、Ａｇ反射層を付け、保護層を形成して記録可能な情報記録媒体を作成した。この情報記録媒体に情報を記録して再生したところ、内周外周とも同様な再生信号を得ることができた。
【００４９】
図５は本発明の第１の実施形態の露光方法に基づいて露光を行う電子ビーム露光装置の他構成の要部を示す説明図であり、電子ビームの発生機構、照射機構、原盤の駆動機構等は、図１０に示す部材と同様である。電子ビームをＯＮ／ＯＦＦする機構は、周波数ＬＶ／Ｄ以上の高周波信号ｄを生成する高周波信号発生機構３５と、所定のフォーマットにしたがって露光パターンを決めるフォーマット信号ｇを生成するフォーマッター１７と、この２つの信号のＡＮＤを取ってＯＮ／ＯＦＦ信号ｆを生成するＡＮＤ回路と、ブランキング電極９、絞り１０およびブランキングドライバー１６からなり、ＯＮ／ＯＦＦ信号ｆに従って電子ビーム５をＯＮ／ＯＦＦするブランキング機構とから構成される。そして、線速度一定に回転する原盤１３に電子ビーム５を高速にＯＮ／ＯＦＦしながら照射する。
【００５０】
図５（ａ）に示すＯＮ／ＯＦＦ信号生成機構を有する電子ビーム露光装置の構成は、露光パターン長ごとにＤｕｔｙ比を切り替えることによって露光量を制御し、露光パターン長ごとにパターン幅を変える機能を設けたものである。
【００５１】
図５（ｂ）は、高周波信号ｄ、ＯＮ／ＯＦＦ信号ｆ、フォーマット信号ｇのタイミングチャートであり、高周波信号ｄにおいてＤｕｔｙ１の期間におけるＤｕｔｙ比に対して、Ｄｕｔｙ２の期間におけるＤｕｔｙ比を小さくなるように切り替えている。言い換えれば、Ｄｕｔｙ１の期間よりもＤｕｔｙ２の期間の方がＯＦＦ時間が長く、単位時間あたりのＯＮ時間についてはＤｕｔｙ１の期間の方が長い。その結果、図５（ｃ）に示すように、Ｄｕｔｙ１の期間におけるパターン幅よりもＤｕｔｙ２の期間におけるパターン幅の方が小さくなる。
【００５２】
次に、本発明の第２の実施形態の露光方法について説明する。
【００５３】
図６は、原盤を一定線速度ＬＶで回転させ、ビーム直径（半値幅）Ｄの一定電流量の電子ビームを照射した時の電子ビームの照射量（露光量）と照射時間の関係を示す特性図である。なお、図６の照射時間は、２＊ＬＶ／Ｄを１として、表現している。図６に示すように照射時間が一定値以下になると、露光量は減少することがわかる。
【００５４】
電子ビーム露光方法の第２の実施形態は、円周方向に長いピットを、長さと幅の両方を変化させて形成する場合には、照射時間を２＊ＬＶ／Ｄ未満になるように調整し、一定幅を有するピットを形成する場合には、照射時間を２＊ＬＶ／Ｄ以上になるように調整するものである。このように調整することにより、線速度、ビーム強度一定でも、長さと幅の両方を変化させて露光するか、あるいは一定幅を有するピットを形成するように露光できる。
【００５５】
図７に示すような２値記録のＲＯＭの場合には、最短ピットとそれ以外のピットの振幅に差が少ない方が再生信号のジッタを低減できるので、ピット幅は一定であることが望ましい。よって、２＊Ｄ／ＬＶ  ｎｓｅｃ以上の照射時間でも所定の長さの最短ピットが形成できるよう、弱いビーム強度で、照射時間を２＊Ｄ／ＬＶ  ｎｓｅｃ以上にして露光する。
【００５６】
多値記録の場合には、セル内のピットの面積を可変する必要があるので、ピット幅が一定では面積を十分に可変することができない。よって、２＊Ｄ／ＬＶ  ｎｓｅｃ以下の照射時間にすることにより、長さと幅の両方を変化させて露光できる。多値記録媒体は、案内溝２１上に、記録ドライブで、セル２２内に面積の異なる記録ビット２４を形成して、情報を記録する。８値記録の場合、概略、図８（ａ）に示すように記録ビット２４を形成する。多値ＲＯＭの場合、情報をピット２６で記録するが、記録ドライブで記録された記録ビット２４と概略同等な信号が再生されることが望ましいので、図８（ｂ）のようにピットを形成する。この場合、照射時間は、図６の領域ａに設定し、短い照射時間でも十分な大きさのピットが形成できるよう、強いビーム強度で露光する。
【００５７】
次に、本発明の第２の実施形態における露光方法の第１の具体例について説明する。ここで、使用する電子ビーム露光装置は、図１０と同様である。
【００５８】
加速電圧２０ＫＶ、線速度２ｍ／ｓ、電流量８０ｎＡ、ビーム径５０ｎｍの電子ビーム露光装置では、露光量４０μＣ／ｃｍ２で、２＊Ｄ／ＬＶ＝５０ｎｓｅｃとなる。ＥＦＭ（ｅｉｇｈｔ−ｆｏｒｔｅｅｎ  ｍｏｄｕｌａｔｉｏｎ）信号を記録したところ、約０．２μｍの最短ピットは、７０ｎｓｅｃで形成でき、０．７μｍの最長ピットまで０．１８μｍのほぼ同じ幅のピットが形成できた。
【００５９】
このような露光方法を適用して作成された原盤１３からスタンパを作成し、このスタンパによりＰＣ基板を作成し、このＰＣ基板に、Ａｇ−Ｉｎ−Ｓｂ−Ｔｅ記録層を形成し、Ａｇ反射層を付け、保護層を形成して記録可能な情報記録媒体を作成したところ、振幅差の小さい良好な再生信号が得られた。
【００６０】
なお、比較例として、加速電圧２０ＫＶ、線速度１ｍ／ｓ、電流量８０ｎＡ、ビーム径５０ｎｍの電子ビーム露光装置では、２＊Ｄ／ＬＶ＝１００ｎｓｅｃとなり、ＥＦＭ（ｅｉｇｈｔ−ｆｏｒｔｅｅｎ  ｍｏｄｕｌａｔｉｏｎ）信号を記録したところ、露光量が約２倍の８０μＣ／ｃｍ２になるので、約０．２μｍの最短ピットは、８０ｎｓｅｃで形成できた。その結果、最短ピットとそれ以外のピットでは、約４％露光量が減少し（図６参照）、パターン幅が約０．０１μｍ変化してしまった。
【００６１】
また、図５（ｂ），（ｃ）のようにピット部（Ｄｕｔｙ１００％）と、案内溝部（Ｄｕｔｙ８０％）でＤｕｔｙ比を変えることにより、第１の具体例で形成したピットと、幅の異なる案内溝を同一原盤上に露光できた。この原盤１３からスタンパを作成し、このスタンパによりＰＣ基板を作成し、このＰＣ基板に、Ａｇ−Ｉｎ−Ｓｂ−Ｔｅ記録層を形成し、Ａｇ反射層を付け、保護層を形成して記録可能な情報記録媒体を作成したところ、ＲＯＭ領域と記録可能領域を併せ持つパーシャルＲＯＭが得られた。
【００６２】
次に、本発明の第２の実施形態における露光方法の第２の具体例について説明する。ここで、使用する電子ビーム露光装置は、図１０と同様である。
【００６３】
加速電圧２０ＫＶ、線速度１ｍ／ｓ、電流量４０ｎＡ、ビーム径３５ｎｍの電子ビーム露光装置では、露光量８２μＣ／ｃｍ２で、２＊Ｄ／ＬＶ＝７０ｎｓｅｃとなる。ピッチ０．４μｍ、セル長０．２４μｍの多値ＲＯＭを露光した。その結果、パルス幅７０ｎｓｅｃから１０ｎｓｅｃまで可変することにより、図８（ｂ）のように、０．２２μｍのピットから０．０７μｍのピットを形成することができた。この原盤１３からスタンパを作成し、このスタンパによりＰＣ基板を作成し、このＰＣ基板に、Ａｇ−Ｉｎ−Ｓｂ−Ｔｅ記録層を形成し、Ａｇ反射層を付け、保護層を形成して記録可能な情報記録媒体を作成したところ、図８（ａ）と略同等な再生信号が得られた。
【００６４】
また、図９（ａ），（ｂ）のようにピット部（Ｄｕｔｙ１００％）と、案内溝部（Ｄｕｔｙ８０％）でＤｕｔｙ比を変えることにより、第１の具体例で形成したピットと、幅の異なる案内溝を同一原盤上に露光できた。この原盤１３からスタンパを作成し、上述した製造方法と同様に同様に情報記録媒体を作成したところ、ＲＯＭ領域と記録可能領域を併せ持つパーシャルＲＯＭが得られた。
【００６５】
【発明の効果】
以上、説明したように構成された本発明の光ビーム露光方法によれば、電子ビームを断続的に照射して原盤上にピットの潜像を形成する露光方法で、全ての長さのピットを露光する際の露光時間を２＊Ｄ／ＬＶ以上に設定することにより、ピット幅が全面均一なピットを露光できる。
【００６６】
また、電子ビームを断続的に照射して原盤上にピットの潜像を形成する露光方法で、全ての長さのピットを露光する際の露光時間を２＊Ｄ／ＬＶ未満に設定することにより、露光時間の制御により、ピット長さと幅を同時に変化させることができる。よってピットを露光するパルス幅の制御だけで、多値データを記録するのに必要な微小なピットから大きなピットまで露光できる。
【００６７】
また、本発明の光ビーム露光装置によれば、単位面積あたりの電子ビーム照射量を可変できるようになる。
【００６８】
また、半径位置毎に露光量を設定できるので、案内溝幅を全面均一になるように露光量補正を行ったり、内外の溝幅を変化させることができる光ディスク原盤の製造方法を提供することが可能になる。
【００６９】
また、本発明の情報記録媒体によれば内外差のない信号特性を有する情報記録媒体が作成できる。
【００７０】
また、１つのピットで多値のデータを記録できる多値記録ＲＯＭを、微細なパターンを形成できる電子ビーム露光で実現したので、飛躍的に大きな情報量を記録で情報記録媒体が得られる。
【図面の簡単な説明】
【図１】図１（ａ）は本発明の第１の実施形態の露光方法に基づいて露光を行う電子ビーム露光装置の構成を示す説明図、図１（ｂ）は図１（ａ）に示す電子ビーム露光装置における高周波パルスｂ，遅延信号ｃ，高周波信号ｄのタイミングチャート
【図２】図２（ａ）は線速度ＬＶ（ｍ／ｓ），ビーム径Ｄ（ｍ）とし、ＬＶ／ＤＨｚ以上の周波数で電子ビームをＯＮ／ＯＦＦする際のＯＮ／ＯＦＦのＤｕｔｙ比と露光量との関係を示すグラフ、図２（ｂ）は線速度ＬＶ（ｍ／ｓ），ビーム径Ｄ（ｍ）とし、ＬＶ／ＤＨｚ以上の周波数で電子ビームをＯＮ／ＯＦＦした時の露光量の変動を示すグラフ
【図３】加速電圧２０ＫＶ、線速度２ｍ／ｓ、電流量８０ｎＡ、ビーム径５０ｎｍ、高周波信号周波数５０ＭＨｚで、Ｄｕｔｙ比を６０％から１００％まで２％刻みで可変した場合の単位面積あたりの露光量を示すグラフ
【図４】第１の実施形態における露光方法に基づく原盤の溝幅分布を示すグラフ
【図５】図５（ａ）は本発明の第１の実施形態の露光方法に基づいて露光を行う電子ビーム露光装置の他構成の要部を示す説明図、図５（ｂ）は図５（ａ）に示す電子ビーム露光装置における高周波信号ｄ，ＯＮ／ＯＦＦ信号ｆ，フォーマット信号ｇのタイミングチャート、図５（ｃ）は図５（ｂ）に示すタイミングの露光によって原盤に形成されるパターンを示す説明図
【図６】原盤を一定線速度ＬＶで回転させ、ビーム直径（半値幅）Ｄの一定電流量の電子ビームを照射した時の電子ビームの照射量（露光量）と照射時間の関係を示す特性図
【図７】２値記録のＲＯＭにおける記録ビットを示す斜視図
【図８】図８（ａ）は記録可能なディスクにおける記録ビット、図８（ｂ）は多値ＲＯＭにおけるピットの大きさを示す説明図
【図９】図９（ａ）は第２の具体例における高周波信号ｄ，ＯＮ／ＯＦＦ信号ｆ，フォーマット信号ｇのタイミングチャート、図９（ｂ）は図９（ａ）に示すタイミングの露光によって原盤に形成されるパターンを示す説明図
【図１０】一般的な電子ビーム露光装置の構成を示す側面図
【図１１】３値以上の多値データを記録する多値記録ディスクの表面の拡大図
【図１２】３値以上の多値データ記録の概念図
【図１３】電子ビーム露光におけるパターン特性を示すグラフ
【符号の説明】
１  鏡筒
２  試料室
４  電子銃
５  電子ビーム
６  コンデンサレンズ
７  フォーカスレンズ
８  対物レンズ
９  ブランキング電極
１０  絞り
１１  偏向器
１２  モータ
１３  原盤
１４  回転ステージ
１５  直動ステージ
１６  ブランキングドライバー
１７  フォーマッター
１８  偏向器ドライバー
１９  Ｗｏｂｂｌｅ信号発生器
３０  Ｄｕｔｙ可変回路
３１  発信回路
３２  遅延回路
３３  セレクター
３４  ＯＲ回路
３５  高周波信号発生機構
３６  ＡＮＤ回路
【図１】
2004227706.tif 000003
【図２】
2004227706.tif 000004
【図３】
2004227706.tif 000005
【図４】
2004227706.tif 000006
【図５】
2004227706.tif 000007
【図６】
2004227706.tif 000008
【図７】
2004227706.tif 000009
【図８】
2004227706.tif 000010
【図９】
2004227706.tif 000011
【図１０】
2004227706.tif 000012
【図１１】
2004227706.tif 000013
【図１２】
2004227706.tif 000014
【図１３】
2004227706.tif 000015